(57)【特許請求の範囲】
【請求項１】
マイク感度を任意に設定可能な音声録音装置において、
録音モードを音声認識用と非音声認識用とに切り換える切換手段と、
上記マイク感度を設定するマイク感度設定ボタンと、
上記切換手段により音声認識用録音モードが選択されたことを検出し、マイク感度を該音声認識用録音モードに応じた感度値に設定すると共に、上記マイク感度設定ボタンによるマイク感度の設定を無効にする制御部と、
を具備したことを特徴とする音声録音装置。
【請求項２】
録音する音声データの圧縮量を非圧縮を含めて任意に設定可能な音声録音装置において、
録音モードを音声認識用と非音声認識用とに切り換える切換手段と、
上記音声データの圧縮量を設定する音声データ圧縮アルゴリズム設定ボタンと、
上記切換手段により音声認識用録音モードが選択されたことを検出し、音声データを所定の圧縮量以下または圧縮しないで録音するように音声モードの圧縮量を制御すると共に、上記音声データ圧縮アルゴリズム設定ボタンによる上記音声データの圧縮量の設定を無効にする制御部と、
を具備したことを特徴とする音声録音装置。
【請求項３】
録音する音声データの無音部分を圧縮する無音圧縮モードと、圧縮しない非圧縮モードとからなる無音部分圧縮モードとを任意に切り換え可能な音声録音装置において、
録音モードを音声認識用と非音声認識用とに切り換える切換手段と、
上記音声データの無音部分を圧縮する／しないを切り換える無音圧縮併用音声起動録音設定ボタンと、
上記切換手段により音声認識用録音モードが選択されたことを検出した際に、無音圧縮モードを上記非圧縮モードに設定すると共に、上記無音圧縮併用音声起動録音設定ボタンによる設定を無効にする制御部と、
を具備したことを特徴とする音声録音装置。
【請求項４】
所定レベル以上の音声が入力されると録音動作を開始する音声起動モードと、操作スイッチを操作することにより録音動作を開始する通常起動モードとからなる起動モードを任意に切り換え可能な音声録音装置において、
録音モードを音声認識用と非音声認識用とに切り換える切換手段と、
上記起動モードを切り換える無音圧縮併用音声起動録音設定ボタンと、
上記切換手段により音声認識用録音モードが選択されたことを検出した際に、起動モードを上記通常起動モードに設定すると共に、上記無音圧縮併用音声起動録音設定ボタンによる起動モードの設定を無効にする制御部と、
を具備したことを特徴とする音声録音装置。
【発明の詳細な説明】
【０００１】
【発明の属する技術分野】
本発明は、音声録音装置、詳しくは、音声認識用の録音を行い得る音声録音装置に関する。
【０００２】
【従来の技術】
近年、音声等の音源をデジタル信号に変換して記録する、いわゆるデジタル音声録音装置が提案されており、また、このようなデジタル音声録音装置で録音した音声データをパーソナルコンピューター等で取り込み、音声認識ソフトウェアを用いて音声認識を行う音声認識システムも知られるところにある。
【０００３】
ところで上述の如きデジタル音声録音装置においては、種々の用途での録音に対応できるようにマイク感度の切換機能や、音声データの圧縮アルゴリズムの切換による最大録音時間の切換機能、あるいは無音圧縮併用音声起動録音機能を備えている。なお、従来から知られるテープレコーダーにおいても、マイク感度切換やテープスピードの切換機能、あるいは音声起動録音機能や音質切換機能等を備えている。
【０００４】
ここで、上記音声認識システムの一例について図面を参照して説明する。
図４は、従来の音声認識システムにおけるデジタル音声録音装置の構成を示したブロック図である。また、図５は、このデジタル音声録音装置における録音処理動作、特に、マイク感度の切換え、音声データの圧縮アルゴリズムの切換え、ＳＣＶＡ（無音圧縮併用音声起動録音）のＯＮ／ＯＦＦの切換えに関する動作を示したフローチャートである。
【０００５】
図４に示すように、このデジタル音声録音装置は、音声を微弱な電気信号に変換するマイクロフォン１と、マイク感度を切換えるためのマイク感度切換回路２１と、その電気信号を増幅するプリアンプ２と、不要な帯域の周波数成分を除去するローパスフィルタ３と、アナログ信号をデジタル信号に変換するＡ／Ｄ変換器４と、デジタル信号の符号化および復号化を行うデジタル信号処理部（ＤＳＰ）５と、デジタル信号をアナログ信号に変換するＤ／Ａ変換器１２と、その信号から量子化ノイズを除去して滑らかな信号を得るためのローパスフィルタ１３と、その信号を増幅するパワーアンプ１４と、電気信号を音声に変換するスピーカ１５と、装置の全体の動作を制御する主制御部（ＣＰＵ）６と、符号化された音声信号を記憶しておく不揮発性の記憶部（ＭＥＭＯＲＹ）７と、装置の動作状態および録音内容に関連した情報を表示する表示部（ＬＣＤ）８と、装置の動作モードを指定するための複数のスイッチからなる操作入力部１１と、マイク感度、録音時のアルゴリズムなどを切換えるための複数のスイッチからなる各種設定操作部１０と、を具備している。
【０００６】
本装置は操作入力部１１からの操作および装置内部の状態に基いた情報によって、主制御部６に内蔵されたプログラムに従って該主制御部６が各部を制御することにより所定の動作を行う。
【０００７】
次に、図５を参照してこのデジタル音声録音装置における録音処理動作、特に、マイク感度の切換え、圧縮アルゴリズムの切換え、ＳＣＶＡ（無音圧縮併用音声起動録音）のＯＮ／ＯＦＦの切換えに関する動作を説明する。なお、このフローチャートでは、操作入力部１１の各操作ボタン（スイッチ）に対応した他モードの具体的な動作についての動作については省略してある。
【０００８】
主制御部６は操作入力部１１のＲＥＣ（録音）ボタンが押されると録音モード（録音処理）を開始する。録音処理が開始されると、マイクロフォン１で入力し、Ａ／Ｄ変換器４でＡ／Ｄ変換された音声を、デジタル信号処理部５においてフレーム周期と呼ばれる一定時間分のデータごとに所定のアルゴリズムにより圧縮処理をしたうえで、その音声データを記録媒体に記録する処理を行う（ステップＳ２１）。
【０００９】
次に、主制御部６は、操作入力部１１の状態を判別して、現在のモード（録音モード）とは異なるモードを設定するボタンが押されたか否かを判断する（ステップＳ２２）。他のモードの操作ボタンが押されると当該ボタンに対応したモードの処理を行う（ステップＳ２３）。一方、操作ボタンの状態に変化がなければ、ステップＳ２４に進む。
【００１０】
次に、主制御部６はマイク感度の設定状態を判別し、マイク感度が「ＤＩＣＴ（Ｄｉｃｔａｔｉｏｎの略）モード」に設定されていれば（ステップＳ２４）、マイク感度切換回路２１を制御してマイク感度をディクテーションに適したモードになるように制御し（ステップＳ２６）、ステップＳ２７に進む。
【００１１】
一方、上記ステップＳ２４において各種設定操作部１０によりマイク感度が「ＣＯＮＦ（Ｃｏｎｆｅｒｅｎｃｅの略）モード」に設定されていれば、主制御部６は、マイク感度をＣＯＮＦモードになるように制御し（ステップＳ２５）、ステップＳ２７に進む。
【００１２】
この後、主制御部６は音声データの圧縮モードを判別し（ステップＳ２７）、音声データの圧縮量が多い「ＬＯＮＧモード」に設定されていれば、デジタル信号処理部５のＲＯＭ内に内蔵された「ＬＯＮＧモード」用のアルゴリズムを用いてデータ圧縮処理を行うように該デジタル信号処理部５を制御して（ステップＳ２９）、ステップＳ３０に進む。
【００１３】
一方、音声データの圧縮モードが「ＬＯＮＧモード」でない、すなわち通常の音声データ圧縮モード（「ＬＯＮＧモード」に比して音声データの圧縮量が小さいが圧縮しないモード）に設定されていれば、主制御部６は、デジタル信号処理部５のＲＯＭに内蔵された「ＳＴＡＮＤＡＲＤモード」用のアルゴリズムを用いてデータ圧縮を行うように該デジタル信号処理部５を制御して（ステップＳ２８）、ステップ３０に進む。
【００１４】
次に、ステップＳ３０において主制御部６は、ＳＣＶＡ（無音圧縮併用音声起動録音）が設定されているか否かを判定する（ステップＳ３０）。ここで、該無音圧縮併用音声起動録音が設定されていればＳＣＶＡモードであるとしてデジタル信号処理部５のＲＯＭに内蔵されたＳＣＶＡ（無音圧縮併用音声起動録音）プログラムが機能するようにデジタル信号処理部５を制御する（ステップＳ３２）。
【００１５】
一方、無音圧縮併用音声起動録音が設定されていなければ、ＳＣＶＡモードではなくノーマルモードであるとして、主制御部６は、デジタル信号処理部５のＲＯＭに内蔵されたＳＣＶＡプログラムの機能を停止するように該デジタル信号処理部５を制御する（ステップＳ３１）。
【００１６】
この後、上記各種設定操作部１０に係る設定が終わると、主制御部６は「録音動作」（ステップ２１）に戻る。
【００１７】
このように主制御部６は、録音中おいても上記のような流れで、各操作入力部１１、各種設定操作部（マイク感度切換え、圧縮アルゴリズムの切換え、ＳＣＶＡのＯＮ／ＯＦＦ切換え）１０を監視しており、設定に変化があれば対応した各部の制御を行う。
【００１８】
【発明が解決しようとする課題】
ところで、今日の音声認識技術においては、音声認識を適正に施すために入力する音声には、（１）十分な周波数帯域が確保されていること、（２）音量が一定範囲内に収まっていること、（３）雑音の混入が少ないこと、等が求められている。このためマイク感度の設定や、デジタル音声録音装置における圧縮アルゴリズムの選択、あるいはテープレコーダーにおけるテープスピードの選択が不適切であると、ＳＮ比が悪化したり周波数帯域が狭くて音声認識に必要な音声情報が不十分となる場合がある。この結果、録音した音声を再生して音声認識を行う場合、満足な認識率が得られないことになる。
【００１９】
したがって、ユーザーが録音を行う際には、デジタル音声レコーダーにおいては高音質が得られるアルゴリズム、テープレコーダーにおいては高音質が得られるテープスピードを選択し、なおかつマイク感度も適切なものに設定して録音を行うようにしなければならず煩わしかった。
【００２０】
また、録音中であってもマイク感度や最大録音時間の切換えができるため、不用意に操作すると録音したものが音声認識には適さないものとなってしまい、再度、録音をし直さなければならず煩わしかった。
【００２１】
本発明はかかる問題点に鑑みてなされたものであり、音声認識用の録音を行う際の煩わしさを解消すると共に、音声認識に適した録音を確実かつ容易に行い得る音声録音装置を提供することを目的とする。
【００２２】
【課題を解決するための手段】
上記の目的を達成するために本発明の第１の音声録音装置は、マイク感度を任意に設定可能な音声録音装置において、録音モードを音声認識用と非音声認識用とに切り換える切換手段と、上記マイク感度を設定するマイク感度設定ボタンと、上記切換手段により音声認識用録音モードが選択されたことを検出し、マイク感度を該音声認識用録音モードに応じた感度値に設定すると共に、上記マイク感度設定ボタンによるマイク感度の設定を無効にする制御部と、を具備したことを特徴とする。
【００２３】
上記の目的を達成するために本発明の第２の音声録音装置は、録音する音声データの圧縮量を非圧縮を含めて任意に設定可能な音声録音装置において、録音モードを音声認識用と非音声認識用とに切り換える切換手段と、上記音声データの圧縮量を設定する音声データ圧縮アルゴリズム設定ボタンと、上記切換手段により音声認識用録音モードが選択されたことを検出し、音声データを所定の圧縮量以下または圧縮しないで録音するように音声モードの圧縮量を制御すると共に、上記音声データ圧縮アルゴリズム設定ボタンによる上記音声データの圧縮量の設定を無効にする制御部と、を具備したことを特徴とする。
【００２４】
上記の目的を達成するために本発明の第３の音声録音装置は、録音する音声データの無音部分を圧縮する無音圧縮モードと、圧縮しない非圧縮モードとからなる無音部分圧縮モードとを任意に切り換え可能な音声録音装置において、録音モードを音声認識用と非音声認識用とに切り換える切換手段と、上記音声データの無音部分を圧縮する／しないを切り換える無音圧縮併用音声起動録音設定ボタンと、上記切換手段により音声認識用録音モードが選択されたことを検出した際に、無音圧縮モードを上記非圧縮モードに設定すると共に、上記無音圧縮併用音声起動録音設定ボタンによる設定を無効にする制御部と、を具備したことを特徴とする。
【００２５】
上記の目的を達成するために本発明の第４の音声録音装置は、所定レベル以上の音声が入力されると録音動作を開始する音声起動モードと、操作スイッチを操作することにより録音動作を開始する通常起動モードとからなる起動モードを任意に切り換え可能な音声録音装置において、録音モードを音声認識用と非音声認識用とに切り換える切換手段と、上記起動モードを切り換える無音圧縮併用音声起動録音設定ボタンと、上記切換手段により音声認識用録音モードが選択されたことを検出した際に、起動モードを上記通常起動モードに設定すると共に、上記無音圧縮併用音声起動録音設定ボタンによる起動モードの設定を無効にする制御部と、を具備したことを特徴とする。
【００２６】
【発明の実施の形態】
以下、図面を参照して本発明の実施の形態を説明する。
【００２７】
図１は、本発明の一実施形態であるデジタル音声録音装置の構成を示したブロック図である。
【００２８】
図１に示すように、当該デジタル音声録音装置は、音声を微弱な電気信号に変換するマイクロフォン１と、後述する主制御部６の制御下に上記マイクロフォン１のマイク感度を切換えて音声信号を出力するマイク感度切換回路２１と、このマイク感度切換回路２１から出力される音声信号を増幅するプリアンプ２と、増幅された音声信号より不要な帯域の周波数成分を除去するローパスフィルタ３と、このローパスフィルタ３を通過したアナログ信号をデジタル信号に変換するＡ／Ｄ変換器４と、このＡ／Ｄ変換器４でＡ／Ｄ変換されたデジタル信号の符号化および復号化を行うデジタル信号処理部（ＤＳＰ）５と、このデジタル信号処理部５により適宜処理されたデジタル信号をアナログ信号に変換するＤ／Ａ変換器１２と、このＤ／Ａ変換器１２でＤ／Ａ変換された信号から量子化ノイズを除去して滑らかな信号を得るためのローパスフィルタ１３と、この信号を増幅するパワーアンプ１４と、増幅後の電気信号を音声に変換するスピーカ１５と、当該録音装置全体の動作を制御する主制御部（ＣＰＵ）６と、符号化された音声信号を記憶する不揮発性の記憶部（ＭＥＭＯＲＹ）７と、当該録音装置の動作状態および録音内容に関連した情報を表示する表示部（ＬＣＤ）８と、当該録音装置の動作モードを指定するための複数のスイッチからなる操作入力部１１と、音声認識用モードを設定する音声認識モード設定ボタン９と、マイク感度、録音時の圧縮アルゴリズム等を切換える複数のスイッチからなる各種設定操作部１０と、を具備している。
【００２９】
当該録音装置は上記操作入力部１１からの操作および装置内部の状態に基いた情報によって、主制御部６に内蔵されたプログラムに従い該主制御部６が各部を制御することにより所定の動作を行う。
【００３０】
なお、本実施形態においてはデジタル信号処理部５としてＤＳＰ、主制御部６としてＣＰＵ、記憶部７として不揮発性固体メモリ、表示部８としてＬＣＤを想定しているが、同様の機能、性能を有したもので代替することも勿論可能である。例えば極めて処理速度の早いＣＰＵでＤＣＰの役割を兼用させることも可能であるし、記憶部７も高速でランダムアクセス可能な記憶媒体であればよく、例えば磁気ディスク装置や光磁気ディスク装置のようなものであってもよい。表示部８についても多セグメントのＬＥＤ表示装置のようなものであってもよい。
【００３１】
上記各種設定操作部１０は、当該録音装置における各種の設定ボタンを複数備えており、マイク感度設定ボタン１０ａ、音声データ圧縮アルゴリズム設定ボタン１０ｂ、無音圧縮併用音声起動録音設定ボタン１０ｃを備えている。また、これら各種設定操作部１０のオン、オフ動作は主制御部６により認識されるようになっている。
【００３２】
上記マイク感度設定ボタン１０ａは、マイクロフォン１の感度を切り換えるマイク感度切換回路２１の感度設定を行うスイッチであり、本実施形態では、表示部８に表示されるメニュー画面でそのオン・オフを選択することで実現される。そして、オンすることで「ＤＩＣＴ（Ｄｉｃｔａｔｉｏｎの略）モード」、オフで「ＣＯＮＦ（Ｃｏｎｆｅｒｅｎｃｅの略）モード」に設定される。
【００３３】
このマイク感度設定ボタン１０ａの設定状態は主制御部６により判定されるようになっており、主制御部６はこの判定結果に基づきマイク感度切換回路２１を制御してマイク感度を切り換える。
【００３４】
ここで、上記マイク感度切換回路２１の電気的な構成を図２を参照して説明する。
【００３５】
図２に示すように、マイク感度切換回路２１はマイクロフォン１からの音声信号を入力するＩＮＰＵＴ端子、主制御部６からの制御信号を入力する制御端子、処理後の信号をプリアンプ２に出力するＯＵＴＰＵＴ端子とを備えている。
【００３６】
図中、Ｔｒ１はスイッチング用のトランジスタで、エミッタが接地され、ベースには抵抗Ｒ５の一端が接続されている。そして制御端子の電位が高くなると抵抗Ｒ５を介してトランジスタのベース〜エミッタ間に電流が流れて該トランジスタがＯＮ状態になる。一方、制御端子の電位が低くなると、トランジスタのベースに電流が流れ込まなくなり、該トランジスタはＯＦＦ状態になる。
【００３７】
また、Ｃ１、Ｃ２は直流をカットするカップリングコンデンサである。また、これらコンデンサを介してＩＮＰＵＴ端子とＯＵＴＰＵＴ端子との間に挿入されている抵抗Ｒ１と、一方が抵抗Ｒ１のＯＵＴＰＵＴ側に接続され、他方が接地されている抵抗Ｒ４とによりアッテネータが形成されている。また、Ｔｒ１のコレクタと抵抗Ｒ１とＲ４との中点には抵抗Ｒ３が接続されている。そして、Ｔｒ１がＯＮになると該抵抗Ｒ３が接地され、抵抗Ｒ３とＲ４との並列接続にとる合成抵抗値と抵抗Ｒ１の値とによりＩＮＰＵＴ端子に入力する音声信号に対するＯＵＴＰＵＴ端子から出力される信号の減衰量が決定される。
【００３８】
トランジスタＴｒ１がＯＦＦのときの減衰量は、抵抗Ｒ１とＲ４のみにより決定されるので、トランジスタのＯＮ／ＯＦＦ、即ち、制御端子の電位のＨｉ／Ｌｏｗにより減衰量を切換えることができる。そして抵抗Ｒ５の値を適当に選ぶことにより主制御部６の出力端子で直接制御端子を制御することができる。このような回路を用いて、マイク感度の切換えを行う。
【００３９】
図１に戻って、音声データ圧縮アルゴリズム設定ボタン１０ｂは、デジタル信号処理部５による音声データ圧縮処理の圧縮形態の切換設定を行うボタンであり、本実施形態ではスライドスイッチで構成される。そして、オンすることで音声データの圧縮量が多い「ＬＯＮＧモード」に、オフで通常の音声データ圧縮量の「ＳＴＡＮＤＡＲＤモード」に設定される。
【００４０】
また、上記マイク感度設定ボタン１０ａと同様にこの音声データ圧縮アルゴリズム設定ボタン１０ｂの設定状態も主制御部６により判定されるようになっており、主制御部６はこの判定結果に基づきデジタル信号処理部５を制御し、該デジタル信号処理部５のＲＯＭに内蔵している各モードに対応したアルゴリズムにより圧縮処理を施す。
【００４１】
無音圧縮併用音声起動録音設定ボタン１０ｃは、無音圧縮併用音声起動録音（ＳＣＶＡ）を選択するボタンであり、本実施形態ではスライドスイッチで構成される。そして、オンすることで無音圧縮併用音声起動録音を行うモードに、オフで無音圧縮もせず音声起動録音も行わない（操作入力部１１のＲＥＣボタンをそうさすることによる録音）ノーマルモードに設定される。この無音圧縮併用音声起動録音設定ボタン１０ｃの設定状態も主制御部６により判定されるようになっており、主制御部６はこの判定結果に基づきデジタル信号処理部５のＲＯＭに内蔵している所定のプログラムにより音声起動処理を施す。
【００４２】
上記音声データ圧縮アルゴリズムは、デジタル信号処理部５のＲＯＭの中に２種類（ＬＯＮＧモードとＳＴＡＮＤＡＲＤモード）のプログラムモジュールとして内蔵されている。このどちらのプログラムモジュールを実行するかは主制御部６からの指令に基づいて行われる。また、ＳＣＶＡ（無音圧縮併用音声起動録音）機能もデジタル信号処理部５のＲＯＭに内蔵されているプログラムを選択的に実行することにより実現される。
【００４３】
音声認識用モード設定ボタン９は、オンすることで本実施形態の音声録音装置を音声認識用モードに設定するボタンである。この音声認識用モード設定ボタン９は、上記各種設定操作部１０の各ボタン（マイク感度設定ボタン１０ａ、音声データ圧縮アルゴリズム設定ボタン１０ｂ、無音圧縮併用音声起動録音設定ボタン１０ｃ）の状態に優先して認識される。すなわち、主制御部６は、音声認識用モード設定ボタン９がオンされると各種設定操作部１０の設定状態如何によらず、音声認識用の録音に適した設定になるように本録音装置の各部を制御する。
【００４４】
この音声認識用録音に適した設定とは、本実施形態においては以下のように設定する。すなわち、マイク感度はＤＩＣＴモードに、音声データ圧縮アルゴリズムはＳＴＡＮＤＡＲＤモードに、音声起動録音はＳＣＶＡがＯＦＦとなるノーマルモードになるように設定される。
【００４５】
一方、同音声認識用モード設定ボタン９をオフして音声認識用モードを解除すると、主制御部６は各種設定操作部１０の操作を受け付ける通常のモードに戻り、マイク感度、音声データ圧縮アルゴリズム、ＳＣＶＡの組み合わせを自由に選択して録音することができる。
【００４６】
なお、本実施形態においては音声認識用モード設定ボタン９を独立したスイッチとして備えているがこれに限らず、他の操作部、たとえば各種設定操作部１０、操作入力部１１等の操作部と兼用させるようにしてもよい。
【００４７】
次に、本実施形態のデジタル音声録音装置による録音処理動作を図３に示すフローチャートを参照して説明する。
【００４８】
主制御部６は操作入力部１１のＲＥＣ（録音）ボタンが押されると録音モード（録音処理）を開始する。録音処理が開始されると、マイクロフォン１で入力し、Ａ／Ｄ変換器４でＡ／Ｄ変換された音声を、デジタル信号処理部５においてフレーム周期と呼ばれる一定時間分のデータごとに所定のアルゴリズムにより圧縮処理をしたうえで、その音声データを記録媒体に記録する処理を行う（ステップＳ１）。
【００４９】
次に主制御部６は、操作入力部１１の状態を判別して、現在のモード（録音モード）とは異なるモードを設定するボタンが押されたか否かを判断する（ステップＳ２）。ここで操作入力部１１において他のモードの操作ボタンが押されると当該ボタンに対応したモードの処理を行う（ステップＳ３）。一方、操作ボタンの状態に変化がなければ、ステップＳ４に進む。
【００５０】
このステップＳ４において主制御部６は音声認識用モード設定ボタン９の状態を判定する（ステップＳ４）。ここで該音声認識用モード設定ボタン９がオンしている場合は、ステップＳ５においてマイク感度、音声データ圧縮アルゴリズム、音声起動録音の各モードを以下のように設定する。すなわち、主制御部６は、マイク感度を音声認識に適したＤＩＣＴモードに、音声データ圧縮アルゴリズムを圧縮量が少ないか“０”であるＳＴＡＮＤＡＲＤモードに、音声起動録音をＳＣＶＡがＯＦＦとなるノーマルモードになるように設定する（ステップＳ５）。
【００５１】
このステップＳ５の後、主制御部６は、マイク感度切換設定、音声データ圧縮アルゴリズムの切換設定、ＳＣＶＡのＯＮ／ＯＦＦ、の各ボタンの状態を判定するステップ（ステップＳ６〜ステップＳ１４）をスキップして、ステップＳ１に戻るようになっている。
【００５２】
上記ステップＳ４において音声認識用モード設定ボタン９がオンされていなければ、主制御部６は、マイク感度設定ボタン１０ａ、音声データ圧縮アルゴリズム設定ボタン１０ｂ、無音圧縮併用音声起動録音設定ボタン１０ｃの設定状態を判定し、設定状態に応じて所定の処理を行う。
【００５３】
すなわち、主制御部６はステップＳ６においてマイク感度設定ボタン１０ａの設定状態を判別し、該ボタンがオンされていればマイク感度が「ＤＩＣＴ（Ｄｉｃｔａｔｉｏｎの略）モード」に設定されているとして、マイク感度切換回路２１を制御してマイク感度をディクテーションに適したモードになるように制御する（ステップＳ８）。
【００５４】
一方、該ボタンがオフされていれば、マイク感度が「ＣＯＮＦ（Ｃｏｎｆｅｒｅｎｃｅの略）モード」に設定されているとして、主制御部６は、マイク感度をＣＯＮＦモードになるようにマイク感度切換回路２１を制御する（ステップＳ７）。
【００５５】
次に主制御部６は音声データ圧縮アルゴリズム設定ボタン１０ｂの設定状態を判別し（ステップＳ９）、オンされていれば音声データの圧縮量が多い「ＬＯＮＧモード」に設定されているとして、デジタル信号処理部５のＲＯＭ内に内蔵された「ＬＯＮＧモード」用のアルゴリズムを用いてデータ圧縮処理を行うように該デジタル信号処理部５を制御する（ステップＳ１１）。
【００５６】
一方、該ボタンがオフされていれば圧縮モードが「ＬＯＮＧモード」でない、すなわち通常の圧縮モードに設定されているとして、主制御部６は、デジタル信号処理部５のＲＯＭに内蔵された「ＳＴＡＮＤＡＲＤモード」用のアルゴリズムを用いてデータ圧縮を行うように該デジタル信号処理部５を制御する（ステップＳ１０）。
【００５７】
次に主制御部６は無音圧縮併用音声起動録音（ＳＣＶＡ）設定ボタン１０ｃの設定状態を判別し（ステップＳ１２）、ＳＣＶＡ（無音圧縮併用音声起動録音）が設定されているか否かを判定する。ここで、無音圧縮併用音声起動録音設定ボタン１０ｃがオンされていればＳＣＶＡモードであるとしてデジタル信号処理部５のＲＯＭに内蔵されたＳＣＶＡプログラムが機能するようにデジタル信号処理部５を制御する（ステップＳ１４）。
【００５８】
一方、無音圧縮併用音声起動録音設定ボタン１０ｃがオンされていなければ、ＳＣＶＡモードではなくノーマルモードであるとして、主制御部６は、デジタル信号処理部５のＲＯＭに内蔵されたＳＣＶＡプログラムの機能を停止するように該デジタル信号処理部５を制御する（ステップＳ１３）。
【００５９】
この後、上記各種設定操作部１０に係る設定が終わると、主制御部６は「録音動作」（ステップ１）に戻る。
【００６０】
このように本実施形態においては、音声認識用モード設定ボタン９がオンされると、該音声認識用モード設定ボタン９をオンにする前のマイク感度の設定、音声データ圧縮アルゴリズムの設定、無音圧縮併用音声起動録音の設定（ＳＣＶＡのＯＮ／ＯＦＦ設定）の状態がどのようなものであろうとも、録音ボタンＲＥＣ以外の操作ボタンを押して録音モードを解除しない限りは、音声認識用の録音に適した状態で録音されることになる。すなわち、音声認識用モードとして録音を行っている限り、マイク感度設定ボタン１０ａ、音声データ圧縮アルゴリズム設定ボタン１０ｂ、無音圧縮併用音声起動録音設定ボタン１０ｃの各ボタンがどのように操作されようとも、音声認識用の録音に適した状態が維持されることになる。
【００６１】
なお、本実施形態においては、音声データ圧縮アルゴリズム設定ボタン１０ｂと無音圧縮併用音声起動録音設定ボタン１０ｃはスライドスイッチで構成され、マイク感度設定ボタン１０ａは表示部８に表示されるメニュー画面で選択するスイッチで構成されるが、これに限らず以下に示すようなスイッチでも良い。
【００６２】
すなわち、上記各種設定操作部１０におけるマイク感度設定ボタン１０ａ、音声データ圧縮アルゴリズム設定ボタン１０ｂ、無音圧縮併用音声起動録音設定ボタン１０ｃの各ボタン（スイッチ）はスライドスイッチやプッシュスイッチのようにスイッチの状態を機械的に保持するものでもよいし、タクトスイッチのように機械的な状態保持機能のないスイッチを用いても良い。また、プログラムの組み方によっては、ＣＰＵでスイッチの状態を記憶しておいて、スイッチを１回押すとＯＮ、もう１回押すとＯＦＦというような動作をさせることもできる。
【００６３】
さらに、１つ１つの機能に対応したスイッチが存在しなくてもよい。すなわち、表示部８（ＬＣＤ）においてメニューという形で機能を一覧表示させたり、順番に表示させたりして、その中から機能のＯＮ／ＯＦＦを選択できるようにしても良い。また、これらの混在でもよい。
【００６４】
以上説明したように本実施形態によると、音声認識用の録音を行に際して設定の煩わしさを解消でき、また、当該録音中に不用意な操作がなされてもその影響を受けることなく音声認識に適した録音を確実、かつ容易に行うことができる。
【００６５】
なお、上述した実施形態においては、音声データの無音部分の圧縮処理設定と、所定レベル以上の音声が入力された際に録音動作を開始する音声起動モードの設定と、を１つの無音圧縮併用音声起動録音ボタン１０ｃにより行ったが、これに限定されることなく、無音部分の圧縮モード設定ボタンと録音起動モード設定ボタンとを別個に備えて、それぞれの設定を独立して操作しても良い。
【００６６】
このような音声録音装置の場合、音声認識モード設定ボタン９がオンになっていれば、主制御部６は無音部分の圧縮モード設定ボタン及び録音起動モード設定ボタンの設定がどのようなものであっても、無音部分の圧縮モードを非圧縮モードに、録音起動モードを通常の起動モード（ＲＥＣボタンを操作して録音を開始するモード）に設定することになる。
【００６７】
【発明の効果】
以上説明したように本発明によれば、音声認識用の録音を行う際の煩わしさを解消すると共に、音声認識に適した録音を確実かつ容易に行い得る音声録音装置を提供できる。
【図面の簡単な説明】
【図１】本発明の一実施形態であるデジタル音声録音装置の構成を示したブロック図である。
【図２】上記実施形態のデジタル音声録音装置におけるマイク感度切換回路の電気的な構成を示した回路図である。
【図３】上記実施形態のデジタル音声録音装置による録音処理動作を示したフローチャートである。
【図４】従来の音声認識システムにおけるデジタル音声録音装置の構成を示したブロック図である。
【図５】図４に示す従来のデジタル音声録音装置における録音処理動作を示したフローチャートである。
【符号の説明】
１…マイクロフォン
５…デジタル信号処理部
６…主制御部
８…表示部
９…音声認識用モード設定ボタン
１０…各種設定操作部
１０ａ…マイク感度設定ボタン
１０ｂ…音声データ圧縮アルゴリズム設定ボタン
１０ｃ…無音圧縮併用音声起動録音設定ボタン
１１…操作入力部
２１…マイク感度切換回路
【図１】
0004248636.tif 000002
【図２】
0004248636.tif 000003
【図３】
0004248636.tif 000004
【図４】
0004248636.tif 000005
【図５】
0004248636.tif 000006